(57)【特許請求の範囲】
【請求項１】
漏電遮断器の電磁コイル６内に設けた鉄心ばね８に抗して鉄心７が吸引される電磁石装置の鉄心吸引方向と直交する回転軸４の軸穴２ｃを有する基部２ｂ及び係合部２ａを具備し，該基部２ｂと係合部２ａでＬ字型を成す係合部材２を電磁コイル６の鉄心吸引側に配し，表示ボタン１と係合部材２の基部２ｂとの間に圧縮ばね３を配し，該圧縮ばね３を圧縮して表示ボタン１の側面に形成された係合部１ａと係合部材２の係合部２ａを係合させ，鉄心７が電磁コイル６に吸引された際に鉄心７が電磁コイル６に吸引されることを利用して漏電遮断器の開閉機構を引き外して接点を開くとともに，係合部材２の基部２ｂが鉄心７に当接し，係合部材２が基部２ｂの軸穴２ｃに挿入された回転軸４を中心に回転して表示ボタン１との係合が解除されて表示ボタン１が圧縮ばね８のばね力で鉄心吸引方向に突出するとともに，表示ボタン１の突出量が基台１２により規制されたことを特徴とする漏電遮断器の漏電動作表示機構。
【請求項２】
鉄心７が電磁コイル６に吸引された際に係合部材２の基部２ｂが鉄心７に当接するように電磁コイル６内の鉄心吸引空間内に突出する突起２ｄを係合部材２の基部２ｂに設けたことを特徴とする請求項１記載の漏電遮断器の漏電動作表示機構。
【請求項３】
電磁コイル６の電磁枠５に回転軸４の軸受５ｂと表示ボタン１の突出方向を規制するスライド規制溝５ａを一体に成形して，電磁枠５に係合部材２と表示ボタン１を組付けたことを特徴とする請求項１記載の漏電遮断器の漏電動作表示機構。
【発明の詳細な説明】
【０００１】
【産業上の利用分野】
本発明は，漏電遮断器の漏電動作表示機構に関する。
【０００２】
【従来の技術】
従来の漏電遮断器の漏電動作表示機構は，漏電があった際に漏電検知器の出力により電磁コイルに電流を流すことにより電磁コイル内の鉄心が吸引されることを利用して漏電遮断器の開閉機構を引き外して接点を開くとともに，該鉄心が吸引されることを利用して漏電動作を表示する表示ボタンの係合を解除して遮断器の操作ハンドルや動作表示ボタンのあるパネルカット面と直交する方向に表示ボタンを突出させて漏電動作表示を行うもので，電磁コイル内の鉄心吸引方向と直交する方向に表示ボタンが突出するものがほとんどであった。
【０００３】
【従来の技術の課題】
従来の漏電動作表示機構は，表示ボタンが電磁コイル内の鉄心吸引方向と直交する方向に突出するものがほとんどであったため，表示ボタンが直交に突出するパネルカット面に対して平行な方向に鉄心吸引方向を持つように電磁コイルを配置しなければならないなどの制約があった。
【０００４】
本発明は，小型で，部品の形状が単純で，簡単に組立て可能で，電磁コイルの鉄心吸引方向に表示ボタンが突出可能な漏電動作表示機構を提供することで，パネルカット面に対して直交する方向に鉄心吸引方向を持つ電磁コイルが配置可能になることを目的とする。また，電磁コイルの鉄心吸引力を落すことなく，前記目的を達成しようとするものである。
【０００５】
【課題を解決するための手段】
上記目的を達成するために，請求項１に係わる本発明の漏電遮断器は，漏電遮断器の電磁コイル６内に設けた鉄心ばね８に抗して鉄心７が吸引される電磁石装置の鉄心吸引方向と直交する回転軸４の軸穴２ｃを有する基部２ｂ及び係合部２ａを具備し，該基部２ｂと係合部２ａでＬ字型を成す係合部材２を電磁コイル６の鉄心吸引側に配し，表示ボタン１と係合部材２の基部２ｂとの間に圧縮ばね３を配し，該圧縮ばね３を圧縮して表示ボタン１の側面に形成された係合部１ａと係合部材２の係合部２ａを係合させ，鉄心７が電磁コイル６に吸引された際に鉄心７が電磁コイル６に吸引されることを利用して漏電遮断器の開閉機構を引き外して接点を開くとともに，係合部材２の基部２ｂが鉄心７に当接し，係合部材２が基部２ｂの軸穴２ｃに挿入された回転軸４を中心に回転して表示ボタン１との係合が解除されて表示ボタン１が圧縮ばね８のばね力で鉄心吸引方向に突出するとともに，表示ボタン１の突出量が基台１２により規制されたものである。
【０００６】
請求項２に係わる漏電動作表示機構は，鉄心７が電磁コイル６に吸引された際に係合部材２の基部２ｂが鉄心７に当接するように電磁コイル６内の鉄心吸引空間内に突出する突起２ｄを係合部材２の基部２ｂに設けたものである。
【０００７】
請求項３に係わる漏電動作表示機構は，電磁コイル６の電磁枠５に回転軸４の軸受５ｂと表示ボタン１の突出方向を規制するスライド規制溝５ａを一体に成形して，電磁枠５に係合部材２と表示ボタン１を組付けたものである。
【０００８】
【作用】
上記のような請求項１の発明に係わる漏電動作表示機構は，電磁コイル６内の鉄心吸引方向と直交する回転軸４の軸穴２ｃを有する基部２ｂ及び係合部２ａを具備し，該基部２ｂと係合部２ａでＬ字型を成す係合部材２を電磁コイル６の鉄心吸引側に配し，さらに，表示ボタン１の突出方向を鉄心吸引方向へ規制する表示ボタン１の側面に形成されたスライドリブ１ｂ及びスライド規制溝５ａにより鉄心吸引方向へ突出する表示ボタン１と係合部材２の基部２ｂとの間に圧縮ばね３を配し，該圧縮ばね３を圧縮して表示ボタン１の側面に配された係合部１ａと係合部材２の係合部２ａで係合して配置したので，電磁コイル６の鉄心吸引側  に，鉄心吸引方向に突出する表示ボタン１を得ることができ，表示ボタン１が直交方向に突出するパネルカット面Ａに対して直交方向に鉄心吸引方向を持つように電磁コイル６を配置可能となる。
【０００９】
請求項２の発明は，係合部材２の基部２ｂから突出した突起２ｄを電磁コイル６内の鉄心吸引空間内に引込んだので，電磁コイル６の鉄心吸引力を落すことなく係合部材２の基部２ｂの突起２ｄに伝えることが可能となる。
【００１０】
請求項３の発明は，電磁コイル６の電磁枠５に，係合部材２の軸穴２ｃに挿入された回転軸４の軸受５ｂと表示ボタン１の突出方向を規制するスライド規制溝５ａを一体に成形したので，内部に鉄心ばね８と鉄心７を設けた電磁コイル６の電磁枠５に，係合部材２と係合部材２の基部ｂとの間に圧縮ばね３を配された表示ボタン１のスライドリブ１ｂをスライド規制溝５ａに合わせ，さらに，係合部材２を回転軸４によって電磁枠５の軸受５ｂに組付けることが可能となり，小型で，部品の形状が単純で，簡単に組立可能な漏電遮断器の漏電動作表示機構を得ることが可能となる。
【００１１】
【実施例】
実施例について図面を参照して説明すると，図１は本発明の一実施例による漏電遮断器の漏電動作表示機構の分解斜視図であり，内部に鉄心ばね８と鉄心７を挿入された電磁コイル６を図１の上方向から電磁枠５で挟み，係合部２ａ及び基部２ｂを具備し，該係合部２ａと基部２ｂでＬ字型を成す係合部材２と表示ボタン１の間に圧縮ばね３を配し，該圧縮ばね３を圧縮させて係合部材２の係合部２ａと係合させる係合部１ａと表示ボタン１の突出方向を規制する電磁枠５のスライド規制溝５ａに合わせてスライドするスライドリブ１ｂを表示ボタン１の側面に設け，係合部材２の基部２ｂには電磁コイル６に鉄心７が吸引された際に基部２ｂが鉄心７に当接するように電磁コイル６内の鉄心吸引空間に突出する突起２ｄを形成し，さらに，基部２ｂには突起２ｄが鉄心７に当接して係合部材２が回転し表示ボタン１の係合部１ａと係合部材２の係合部２ａが解除されるように回転軸４を挿入する軸穴２ｃを配し，電磁枠５の軸受５ｂに回転軸４を組付けた構成となっている。
【００１２】
図２は本発明の図１で示した，一実施例による漏電動作表示機構を漏電遮断器に組込んだ応用例の図であり，漏電があった際に漏電検知器９の出力により電磁コイル６に電流を流すことにより電磁コイル６内の鉄心７が吸引されて，トリップレバー１０が回転して作動板１１を引いて漏電遮断器の開閉機構を引き外して接点を開いて回路を遮断するとともに，鉄心７が吸引されることを利用して鉄心７に当接した係合部材２を回転軸４を中心に回転させて，漏電動作を表示する表示ボタン１と係合部材２の係合を解除し，表示ボタン１と係合部材２の間の圧縮ばね３のばね力により突出した表示ボタン１を基台１２に設けた表示ボタン１より僅かに大きな円形の穴から突出させて，漏電動作表示を行う構成となってお  り，パネルカット面Ａに対して直交する方向に電磁コイル６を配置することが可能な構成となっている。
【００１３】
図３（ａ）は図２で示した，本発明の一実施例による漏電動作表示機構の漏電遮断器への応用例において表示ボタン１と係合部材２が係合された際の，図２で示されたＢ−Ｂ’断面を図２の右方向から見た図で，電磁コイル６に電流が流れていないために鉄心７が電磁コイル６に吸引されないので，係合部材２の基部２ｂの突起２ｄは鉄心７に押されず係合部材２が回転しないので，係合部材２の係合部２ａと表示ボタン１の係合部１ａは表示ボタン１と係合部材２の基部２ｂとの間に配された圧縮ばね３を圧縮して係合されており，表示ボタン１はパネル  カット面Ａから突出せず，漏電動作表示が行われない構成となっている。
【００１４】
図３（ｂ）は図２で示した，本発明の一実施例による漏電動作表示機構の漏電遮断器への応用例において表示ボタン１と係合部材２の係合が解除された際の，図２で示されたＢ−Ｂ’断面を図２の右方向から見た図で，電磁コイル６に電流が流れたため鉄心７が電磁コイル６に吸引され，係合部材２の基部２ｂの突起２ｄが鉄心７に押され係合部材２が回転し，係合部材２の係合部２ａと表示ボタン１の係合部１ａの係合が解除され，表示ボタン１と係合部材２の基部２ｂとの間に配された圧縮ばね３のばね力により表示ボタン１は電磁枠５のスライド規制溝５ａに沿ってパネルカット面Ａに直交する方向に突出し，漏電動作表示を行う構成となっている。なお，表示ボタン１は圧縮ばね３のばね力で突出する際，表示ボタン１の円柱部分につながる直方体の部位が図３に示すような基台１２に設けた表示用の円形の穴に引っかかることで，漏電遮断器のパネルカット面Ａの外に飛び出すことなく漏電の動作表示を行うことが可能となる。
【００１５】
図４は，従来の漏電遮断器の漏電動作表示機構の原理図で，電磁コイル６内の鉄心７が鉄心ばね８の方向へ吸引されて，漏電表示レバー１３を引き表示ボタン１に設けた穴１５に係合した漏電表示レバー１３の係合を解除して表示ボタン１と外郭１４の間に配された圧縮ばね３の圧縮の反発力により鉄心７の吸引方向と直交する方向に突出して，パネルカット面Ａに対して直交して突出しているの  で，パネルカット面Ａに対して表示ボタン１を直交方向にに突出させるためにはパネルカット面Ａに対して平行な方向に鉄心吸引方向を持つように電磁コイル６を配置されることとなる。
【００１６】
【効果】
本発明は，以上に説明したように構成されているので，以下に記載されるような効果を奏する。電磁コイル６内の鉄心吸引方向と直交する回転軸４の軸穴２ｃを有する基部２ｂ及び係合部２ａを具備し，該基部２ｂと係合部２ａでＬ字型を成す係合部材２を電磁コイル６の鉄心吸引側に配し，さらに，鉄心吸引方向へ突出する表示ボタン１と係合部材２の基部２ｂとの間に圧縮ばね３を配し，該圧縮ばね３を圧縮して表示ボタン１の側面に配された係合部１ａと係合部材２の係合部２ａで係合して配置したので，電磁コイル６の鉄心吸引側に，鉄心吸引方向に突出する表示ボタン１を得ることができ，表示ボタン１が直交方向に突出するパネルカット面Ａに対して直交方向に鉄心吸引方向を持つように電磁コイル６を配置可能となる。また，係合部材２の基部２ｂから突出した突起２ｄを電磁コイル６内の鉄心吸引空間内に引込んだので，電磁コイル６の鉄心吸引力を落すことなく係合部材２の基部２ｂの突起２ｄに伝えることが可能となる。また，電磁コイル６の電磁枠５に，係合部材２の軸穴２ｃに挿入された回転軸４の軸受５ｂと表示ボタン１の突出方向を規制するスライド規制溝５ａを一体に成形したので，内部に鉄心ばね８と鉄心７を挿入された電磁コイル６の電磁枠５に，係合部材２と係合部材２の基部２ｂとの間に圧縮ばね３を配された表示ボタン１の側面に設けたスライドリブ１ｂを電磁枠５のスライド規制溝５ａに合わせ，さらに，係合部材２を回転軸４によって電磁枠５の軸受５ｂに組付けることが可能となり，小型で，部品の形状が単純で，簡単に組立可能な漏電遮断器の漏電動作表示機構を提供できる効果がある。
【図面の簡単な説明】
【図１】本発明の一実施例による漏電遮断器の漏電動作表示機構の分解斜視図。
【図２】本発明の一実施例による漏電動作表示機構を漏電遮断器に組込んだ応用例の  図。
【図３（ａ）】本発明の一実施例による漏電動作表示機構を漏電遮断器に組込んだ応用例の表示ボタンの係合した図。
【図３（ｂ）】本発明の一実施例による漏電動作表示機構を漏電遮断器に組込んだ応用例の表示ボタンの係合が外れた図。
【図４】従来の漏電遮断器の漏電動作表示機構の原理図。
【符号の説明】
１  ：表示ボタン
１ａ：係合部（表示ボタン）
１ｂ：スライドリブ
２  ：係合部材
２ａ：係合部（係合部材）
２ｂ：基部
２ｃ：軸穴
２ｄ：突起
３  ：圧縮ばね
４  ：回転軸
５  ：電磁枠
５ａ：スライド規制溝
５ｂ：軸受
６  ：電磁コイル
７  ：鉄心
８  ：鉄心ばね
９  ：漏電検知器
１０：トリップレバー
１１：作動板
１２：基台
１３：漏電表示レバー
１４：外郭
１５：穴
Ａ  ：パネルカット面
【図１】
0004073996.tif 000002
【図２】
0004073996.tif 000003
【図３】
0004073996.tif 000004
【図４】
0004073996.tif 000005